(57)【特許請求の範囲】
【請求項１】
容器（２）および分与される製品を分与するためのチャネル（１２）を有する分与ヘッド（４）、該分与ヘッド（４）に取り付けられたヒール（２１、３１、４１、５１Ａ、５１Ｂ、６１、８１Ａ−８１Ｂ、９１、１０１、１１１）を有する閉鎖部材（２０、３０、４０、５０、６０、８０、９０、１００、１１０）、および可撓性材料から構成された弾性片を備え、該弾性片が平面内に延長し、かつ該ヒールが該平面と角度をなす、アセンブリであって、
外側に向けて開口する該分与チャネル（１２）の端部に閉鎖システムが設けられ、該システムが栓部および座部（１５）から形成され、それは、分与ヘッド（４）の一部を形成し、該栓部が該弾性片（２２、３２、４２、５２、６２、８２、９２、１０２、１１２、２２ｄ、２２ｅ、２２ｆ、２２ｇ）から構成され、それによって、分与が行われないとき、該弾性片が該座部（１５）と少なくとも部分的に接触し、そして該弾性片が、分与される製品の圧力による曲げによって少なくとも部分的に該座部（１５）から外れ、そして分与が終わるとき、弾性により最初の位置に戻るために配置され、
該弾性片が該チャネルの端部に面する内表面を有し、そして該チャネルの端部の回りの座部と接触し得るように配置され、それによって該ヒールが該弾性片の少なくとも一部分より厚く、そして該弾性片をその最初の位置に戻す傾向にする応力部材を構成する、アセンブリ。
【請求項２】
前記弾性片（２２、３２、４２、５２、６２、８２、９２、１０２、１１２、２２ｄ、２２ｅ、２２ｆ、２２ｇ）が、少なくともその閉鎖端の領域で前記分与ヘッドの壁に取り付けられる、請求項１に記載の分与アセンブリ。
【請求項３】
前記ヒール（４１、５１Ａ、５１Ｂ、８１、９１、１０１、１１１）が、ほぼ平行六面体の形状を有する、請求項１または２に記載の分与アセンブリ。
【請求項４】
前記ヒール（４１、５１Ａ、５１Ｂ、８１）が、係止突起（４３、５３Ａ、５３Ｂ、８３）を有する、請求項３に記載の分与アセンブリ。
【請求項５】
前記ヒール（３１、６１、８１Ａ）が、ほぼ円筒形の形状を有し、該円筒形の形状の中心軸が、前記弾性片（２２、５３、６３）が延長する平面とほぼ垂直である、請求項１または２に記載の分与アセンブリ。
【請求項６】
前記ヒール（３１、６１、１０１）が、環状断面を有する、請求項５に記載の分与アセンブリ。
【請求項７】
前記ヒールが、２つの部分（５１Ａ−５１Ｂ、８１−８１Ａ）になっている、請求項３から５のいずれかに記載の分与アセンブリ。
【請求項８】
前記ヒール（２１、３１、４１、５１Ａ、５１Ｂ、６１、８１−８１Ａ、９１）が、分与ヘッド（４）中の対応のハウジングに取り付けられる、請求項１から７のいずれかに記載の分与アセンブリ。
【請求項９】
前記ヒール（２１、５１、５１Ｂ、６１）が、弾性片（２２、５２、６２）が延長する平面とほぼ垂直に延長する、請求項１から８のいずれかに記載の分与アセンブリ。
【請求項１０】
前記ヒール（３１、４１、８１−８１Ａ、１０１、１１１）と前記弾性片（３２、４２、８２、１０２、１１２）が延長する平面との間が、９０°の角度を形成する、請求項１から８のいずれかに記載の分与アセンブリ。
【請求項１１】
前記ヒール（４１、６１、８１、１０１、１１１）が、前記弾性片（４２、６２、８２、１０２、１１２）および該弾性片の後部に対して横に配置される、請求項１から１０のいずれかに記載の分与アセンブリ。
【請求項１２】
前記ヒール（５１Ａ−５１Ｂ）が、前記弾性片（５２）の縦軸に平行して該弾性片の各側に延長する、請求項１から１０のいずれかに記載の分与アセンブリ。
【請求項１３】
前記ヒール（５１Ａ、５１Ｂ）が、前記弾性片（５２）の後部領域に接近する、請求項１２に記載の分与アセンブリ。
【請求項１４】
強化交差部分（５１Ｃ）が、前記ヒールを構成する２つの部分（５１Ａ、５１Ｂ）を、該２つの部分（５１Ａ、５１Ｂ）の上部で連結する、請求項１２に記載の分与アセンブリ。
【請求項１５】
前記ヒール（５１Ａ、５１Ｂ）が、前記弾性片（５２）のほぼ中央に配置される、請求項１２に記載の分与アセンブリ。
【請求項１６】
前記弾性片（６２）が、三つの部分（６３、６４、６５）を有し、その間に２つずつで角度を形成する、請求項１から１５のいずれかに記載の分与アセンブリ。
【請求項１７】
前記弾性片（２２、３２、４２、５２、６２、８２、９２、１０２、１１２）が、分与チャネル（１２）の端部を完全に閉鎖せず、容器（２）に空気の進入が可能である、請求項１から１６のいずれかに記載の分与アセンブリ。
【請求項１８】
前記弾性片（３２、４２、６２、８２）、前記ヒール（３１、４１、６１、８１−８１Ａ）との連結部の領域を越えて延長する後部（３５、４５、６５、８５）を有し、該後部（３５、４５、６５、８５）が前記分与ヘッド（４）の一部を押圧する、請求項１から１７のいずれかに記載の分与アセンブリ。
【請求項１９】
前記後部（８５）が、前記閉鎖部材（８０）を前記分与ヘッド（４）に取り付けた後、圧縮される、請求項１８に記載の分与アセンブリ。
【請求項２０】
前記弾性片（８２）が、前記ヒール（８１−８１Ａ）が延長する平面と垂直である平面と所定の角度を形成する平面内で延長し、該角度が、閉鎖部材（８０）が前記分与ヘッド（４）に固定されるとき、これら平面が形成する角度より大きい、請求項１から１９のいずれかに記載の分与アセンブリ。
【請求項２１】
前記閉鎖部材を支える前記分与ヘッド（４）が、前記容器（２）に取り付けられ、該容器に対して移動可能である、請求項１から２０のいずれかに記載の分与アセンブリ。
【請求項２２】
前記閉鎖部材（９０）を支える前記分与ヘッド（４）が、円筒形の外側スカート（４Ａ）、支持スカート（４Ｂ）および内側スカート（４Ｃ）を有し、それらは円筒形、同軸的であり、環状断面を有し、そして縦の切り口（１１）を有する中空内部（１０）を取り囲んでおり、前記容器（２）が、ネック（５）と、中空内部（１０）と内側スカート（４Ｃ）との間に密封的に取り付けられる導管（６）とを有し、該導管（６）は切り口（９）が設けられ、
該分与ヘッドに配置される分与チャネル（１２）が、該中空内部（１０）および該中空内部の切り口（１１）と一致する該内側スカート（４Ｃ）の間に定められた円状空間の中に現れ、
該円筒形の外側スカート（４Ａ）が、その下部でガイドされるように該ネック（５）と相互作用し；該ネック（５）に移動切り口（１８）が設けられ、
該外側スカート（４Ａ）の下部で内側に保持される半径方向止め部（１７）が該移動切り口中に配置され、ここで該分与ヘッド（４）が、移動切り口（１８）中で該半径方向止め部（１７）の移動の範囲内で該容器（２）に対して回転し得る、請求項２１に記載の分与アセンブリ。
【請求項２３】
前記閉鎖部材（１００、１１０）および前記分与チャネル（１２）の少なくとも一部が、前記分与ヘッド（４）に対して移動されるように、該分与ヘッド（４）に取り付けられた可動部材（１０４、１１４）により、支えられる、請求項１から２０のいずれかに記載の分与アセンブリ。
【請求項２４】
前記可動部材（１０４）が、前記分与ヘッド（４）に対して平行に移動される、請求項２３に記載の分与アセンブリ。
【請求項２５】
前記可動部材（１１４）が、前記分与ヘッド（４）で回転されるように取り付けられる、請求項２３に記載の分与アセンブリ。
【請求項２６】
前記分与ヘッド（４）が、スナップ留め具で取り付けられる、請求項１から２５のいずれかに記載の分与アセンブリ。
【請求項２７】
前記分与ヘッド（４）が、ねじで取り付けられる、請求項１から２５のいずれかに記載の分与アセンブリ。
【請求項２８】
前記分与ヘッド（４ｄ、４ｅ、４ｆ、４ｇ）が、前記分与ヘッドの壁と弾性片（２２ｄ、２２ｅ、２２ｆ、２２ｇ）に設けられた一部（１０ｄ、２０ｅｌ、２１ｆ、２１ｇ）との間の連結フィルム状ヒンジ（Ｆ）と共に単一の部材として成形される、請求項１または２に記載の分与アセンブリ。
【請求項２９】
前記分与ヘッド（４ｄ、４ｅ、４ｆ、４ｇ）が、２つの材料から形成され、前記弾性片（２２ｄ、２２ｅ、２２ｆ、２２ｇ）が、分与ヘッドのボディーの材料より柔軟な全射出可能な材料から形成される、請求項２８に記載の分与アセンブリ。
【請求項３０】
請求項１または２に記載の分与アセンブリであって、前記ヒール（３１、６１、８１Ａ）が、ほぼ円筒形の形状を有し、該ほぼ円筒形の形状の中心軸が、前記弾性片（２２、５３、６２）が延長する平面と９０゜異なる角度を形成する、分与アセンブリ。
【発明の詳細な説明】
【０００１】
【産業上の利用分野】
本発明は、液体またはクリーム（またはペースト）の形状を有する流体製品、例えば化粧品を分与するためのアセンブリに関する。
【０００２】
【従来の技術】
分与される製品を収容する容器と、該容器に取り付けられている取り外し可能または不可能な分与ヘッドとを有する多くの分与アセンブリは周知である。この分与ヘッドは、ユーザーが必要なときに製品を分与する装置と、分与される製品を収容する容器と外側とを連結する分与チャネルとを包含する。
【０００３】
周知の方法では、この容器は、内仕切壁によっていくつかの仕切室に分割される単一の収容手段からなり得、各仕切室はチャネルと連結され、そして２つのチャネルは同一の分与ヘッドに運ばれる。
【０００４】
製品を分与した後、その一部が該分与チャネルに残されることは周知である。この一部の製品は、空気が分与ヘッドから進入するときに、およびおそらく貯蔵のときに、空気と接触する。それにより、この製品は、酸化により分解され、または空気中の不純物および微生物により汚染され得、結果として、次の分与を行うとき、分与された製品は、その品質が失われ、そして有害物質にもなり得る。
米国特第4,124,150号には、流体製品を分与するためのアセンブリが開示され おり、このアセンブリは、容器および分与される製品を分与するためのチャネルを有する分与ヘッドを備え、外側に向けて開口する該分与チャネルの端部に閉鎖システムが設けられ、該システムが栓部および座部から形成され、それは分与ヘッドの一部を形成し、弾性片から構成された、該座部と少なくとも部分的に接触する該栓部が、分与が行われないとき、分与される製品の圧力による曲げによって少なくとも部分的に該座部から外れ、そして分与が終わるとき、弾性により最初の位置に戻り、該栓部が、該座部に適用させる該栓部を維持する傾向にある応力部材の作用を受け、それによって、閉鎖接触を密封するために互いに作用する。このように構成された閉鎖システムは、比較的に密封されると考えられ得る。しかしながら、該応力部材は、外側に突出し、比較的に大きい弾性片から形成されている。そのため、該応力部材の付着は、充分に信頼できないようである。
【０００５】
【発明が解決しようとする課題】
本発明の目的は、このような分与アセンブリに対して、静止な状態では、完全に密封され得る、丈夫および信頼できる単向性閉鎖システム、すなわち、製品の分与を行わないとき、分与される製品の圧力のみによって開放し、そして簡単な構成を有する閉鎖システムを提供することである。
【０００６】
このような単向性閉鎖システムは、分解可能な製品または防腐剤を含有しない製品を分与するときに、特に有利な無菌状態を提供し得る。しかしながら、多くの製品、例えばサンクリームに関しては、このような無菌状態は必要がない。この閉鎖システムは、変形可能かつ柔軟なチューブまたはバッグで構成された容器、または従節ピストンを含む、空気の進入を必要としない容器を備えるアセンブリにも有利に用いられる。しかし、空気の進入が必要であるので、分与ヘッドには、通常、該閉鎖システムが無菌閉鎖システムに加え、空気進入バルブが取り付けられる。なぜなら、該閉鎖システムでは、空気の進入が不可能であるから。この場合では、簡略という利点が失われる。本発明はまた、空気進入を可能にし、そして分与および空気進入両方を可能にするシステムを生成するために提供されるにもかかわらず、生成物が分与される間または貯蔵のときに、不意の汚染物（例えば、サンクリームの場合の砂）の侵入を防ぐことができる。
【０００７】
【課題を解決するための手段】
従って、本発明の主題は、流体製品を分与するためのアセンブリであり、該アセンブリは、容器および分与される製品を分与するためのチャネルを有する分与ヘッドを備え、外側に向けて開放する該チャネルの端部に閉鎖システムが設けられ、該システムが栓部および座部から形成され、それは分与ヘッドの一部を形成し、弾性片から構成された、該座部と少なくとも部分的に接触する該栓部が、分与が行われないとき、分与される製品の圧力による曲げによって少なくとも部分的に該座部から外れ、そして分与が終わるとき、弾性により最初の位置に戻り、該栓部が、該栓部を最初の位置に戻す傾向にある応力部材の作用を受け、流体製品を分与するためのアセンブリであって、該栓部を構成する該弾性片は、可撓性材料から製造された閉鎖部材の一部を形成し、そして、該応力部材は、該閉鎖部材が有する、分与ヘッドに取り付けられたヒールから構成されることを特徴とするアセンブリ。
【０００８】
好ましくは、該弾性片は、該分与ヘッドの壁、少なくともその閉鎖端の領域に取り付けられる。
【０００９】
空気進入がないときの分与される製品の粘度と関係なく、前記密封は、製品の分与が終了した後、該閉鎖システムを通じていかなる空気の吸入を実質的に防ぐのに充分にしなければならない。密封が栓部と座部との間の接触面積に多少依存するため、本発明は、この密封を保証するするのに充分な大きさを有する接触面積を提供すること、およびそれゆえ、該閉鎖システムは、１つの方向、すなわち、製品を分与する方向のみに開放できるバルブまたはバルブ素子を形成することが理解される。
【００１０】
本発明による閉鎖システムは、実際には可撓性の材料で形成される栓部と座部との間の小さい接触面積のみにより構成され、溶接チューブ、従節ピストン分与器または柔軟なバッグ分与器または剛性ボトルのいずれに取り付けられる全ての分与ヘッドに取り付けられる利点がある。これはまた、非常に変化しやすい形状を有する分与ヘッドに容易に取り入れられる。実際には、該栓部および該栓部の座部を支える部分は、各種形状を有し得る。
【００１１】
該栓部は、弾性的に変形され得る任意の材料から製造され得る。好ましくは、該栓部は、スチレン−ブタジエン共重合体、ニトリルゴム、ポリクロロプレンまたはネオプレン、EPDMゴム、ポリウレタン、シリコーンゴムおよびエチレン−ビニルアセテート共重合体のような天然、合成または熱可塑性エラストマーから製造される。
【００１２】
好ましくは、該座部は、剛性材料から製造される。
【００１３】
該応力部材の機能は、貯蔵のとき、座部に適用される栓部を維持すること、および該栓部を変形させるのに必要される圧力を増加させることにある。それゆえ、該閉鎖システムの密封が改善される。その機能はまた、該栓部がその閉鎖位置に戻ることを容易にすることにある。該応力部材は、閉鎖部材が有するヒールで構成されるので、可撓性材料の弾性と、一方ではヒールが延長する方向および他方では弾性片が延長する方向の間に存在する角度配置とは、弾性片の圧力に対応する方向およびその先端の方向で該弾性片に湾曲応力を与え、それゆえ、弾性片は、座部が取り囲んだ分与チャネルの末端部分の閉鎖のために、この湾曲応力で座部と互いに作用する。
【００１４】
空気進入が必要されるときには、弾性片は、分与チャネルの末端を閉鎖し、不純物の不意の侵入を充分に防止するが、該弾性片は互いに不密封の方式で座部に作用するので、空気の進入は可能である。
【００１５】
好ましくは、ヒールは、ほぼ平行六面体の形状を有し、そして長くて薄い係止突起を有する。
【００１６】
ヒールはほぼ円筒形の形状を有し、好ましくは、ヒールは環形である。
【００１７】
ヒールは２つの部分になっている。
【００１８】
ヒールは、分与ヘッド中の対応のハウジングに強制的に取り付けられる。
【００１９】
ヒールは、弾性片が延長する平面にほぼ垂直して延長する。ヒールと弾性片が延長する平面との間は、９０°の角度を形成する。
【００２０】
ヒールが、弾性片およびその後部に対して横に配置され、ヒールが、弾性片の各側に配置する２つの部分になっており、弾性片の縦軸に平行して延長する。ヒールは、弾性片の後部領域に接近し得る。強化交差部分は、弾性片に接近する高度部分にヒールを構成する２つの部分と連結し得る。
【００２１】
ヒールは、弾性片の中央領域に接近し得る。
【００２２】
１実施態様では、弾性片が、三つの部分を有し、それらの間に２つずつで角度を形成する。
【００２３】
好ましくは、弾性片は、ヒールとの連結部の領域を越えて延長する後部を有し、該後部が前記分与ヘッドの一部を押圧する。好ましくは、後部は、分与ヘッド上に閉鎖部材を取り付けた後、圧縮される。
【００２４】
好ましい実施態様では、ヒールは、静止のとき、延長する平面に垂直的な平面と角度を形成する平面に延長し、該角度は、閉鎖部材が前記分よヘッドに固定されるときのこれらの同じ平面を形成した角度より大きい。
【００２５】
分与ヘッドは、閉鎖部材の裏側に部分的に形成される。
【００２６】
好ましくは、閉鎖部材を支える分与ヘッドは、容器に取り付けられ、この容器に対して取り外される。
【００２７】
好ましくは、閉鎖部材を支える前記分与ヘッドは、円筒形の外スカート、支持スカートおよび内スカートを有し、それらは円筒形、同軸であり、そして環状断面を有し、縦の切り口を有する中空の内部を囲んでおり、前記容器は、中空内部と内スカートとの間に密封的に取り付けられる導管を有し、該導管は切り口が設けられ、該分与ヘッドは、該中空内部および該中空内部の切り口と一致する該内スカートの間に定められた環状空間の中に現れ、該分与ヘッドは該容器の上に回転されるように取り付けられる。
【００２８】
閉鎖部材および前記分与チャネルの少なくとも一部は、前記分与ヘッドに取り付けられた、可動部材に移動されるように支えられる。可動部材は、分与ヘッドに対して平行に移動される。可動部材は、分与ヘッドで回転されるように取り付けられる。
【００２９】
分与ヘッドは、スナップ留め具またはねじで取り付けられ、好ましくは、迅速開放手段は、前記分与アセンブリの分与ヘッドが固定されないような反りを有する。このような手段は、例えば、フランス特許台2,470737号に開示されている。
分与ヘッドは、前記分与ヘッドの壁および弾性片に設けられた一部の間の連結フィルム状シンジと共に単一の部材として成形される。好ましくは、分与ヘッドは、２つの材料から形成され、前記弾性片は、分与ヘッドのボディの材料より柔軟な全射出可能な材料から形成される。
【００３０】
本発明の主題を容易に理解するために、以下は、単に例示し、および非限定の実施例により、１実施態様を説明し、この実施態様は添付の図面中で記載される。
【００３１】
図１Ｄに示されるように、分与アセンブリは、非環状、例えば楕円の断面を有するほぼ円筒形の形状を有し、分与される製品を収容する容器２を有する。容器の上部には、支持体３が、例えばスナップ留め具で固定され、その下部は容器２の形状に対応し、そしてその上部は基部５Ａで連結されたネック５に延長され、ネック５および基部５Ａは円形断面を有し、基部５Ａのの断面はネック５の断面よりやや大きい。基部５Ａおよびネックの共通の軸は、容器２および支持体３の下部の縦軸に対しやや傾斜し、そしてこの下部は図１Ｄの平面に垂直の平面で基部５Ａと連結し、容器２の軸に垂直の平面と角度をなしている。
【００３２】
ネック５自身は、同じ軸を有し、そして軸方向の通路８を定める円形断面を持った円筒形状を有する導管６に延長し；容器２は、比較的柔軟なプラスチックから形成され；その内部では、容器２および支持体３は、通路８が容器２の内部とつながるように配置され、それゆえ、容器２を手で押すと、容器２に収容された製品を通路８を通じて押し出すことが可能になる。
【００３３】
分与アセンブリの頂上には、分与ヘッド４が付けられている。より正確には、これは、導管６の頂上のハウジングを内部に有する中空部の形状である。このハウジングの内部には、中空末端部１０が導管６の通路８に収容され、このハウジングの内部空間は分与チャネル１２と連結され、このチャネル１２自身は製品を外側に分与するための分与口１３と連結されている。分与チャネル１２および分与口１３は、図１Ａにも見られる。
【００３４】
ヘッド４は、導管６を取り囲むカラー７を有し、導管６の外側には、カラー７の内表面に設けられた対応の溝内にスナップで固定される環状リプ６Ａがある。それゆえ、ヘッド４は、ネック５および容器２に軸方向に、これらに対し回転可能な状態で保持される。加えて、ヘッド４は、該ヘッド４の下部の内側に取り付けられたガイドリング７Ａにより回転方向にガイドされ、そしてネック５の基部５Ａの外壁と互いに摩擦的に作用する。
【００３５】
分与チャネル１２が、通路８と連通するか否かは、導管６に対するヘッド４の回転位置に依存する。中空端部１０は縦方向の切り口１１を有し、そして導管６はその頂端には切り口９を有する。図１Ｄに描かれた位置では、切り口１１および９は互いに対向していないが、互いに１８０°である。それによって、分与チャネル１２および通路８の間の連通は閉じられている。この位置では、ヘッド４もまた、同軸される方式でその外側において容器２および支持体３より延長する。支持体３および容器２に対してヘッド４を１８０°回転し、そして図１Ｄに描かれた位置からスタートすることにより、切り口１１および９は互いに対面するようになり、そして連通が行われる。ヘッド４は、それが作用している基部５Ａが傾斜していることによって、そこで、容器２の軸に対し傾斜する。このことが、ユーザーが分与を行うことを容易にすることが注目される。
【００３６】
分与口１３は、単向性閉鎖部材２０によって押しつけられる。閉鎖部材２０は弾性材料から製造される。図２Ａにより明瞭に見られ得るように、閉鎖部材２０は弾性片２２および該弾性片２２を固定しおよびそれに圧力をかけるための、ほぼ平行六面体の形状を持ったヒール２１を有する。本実施態様によれば、ヒール２１は、弾性片２２が延長する平面とほぼ垂直に延長する。閉鎖部材２０は、空気が進入できるように設計されている。このために、弾性片２２は、ヒール２１に接近する内表面２３を有し、分与ヘッド４で支えられた座部１５と互いに作用するよう意図され、そしてその上端には、外側方向にややオフセットされ、そして座部１５に接する分与口１３と一致する上端部内表面２４が配設されている。それゆえ、この口は、完全にふさがれることなく、上端部の内表面２４はそこからわずかに離れている。
弾性片２２およびヒール２１は、本来、２平面の表面上にそれぞれ配設され、その交差縁は弾性片とヒールの交差点に相当する。弾性片２２の閉鎖端の付近では、この弾性片の角張った範囲は、容器２の軸に集中された円周に沿って、縮小される。
【００３７】
閉鎖部材２０のヒール２１は、ヘッド４に取り付けられるハウジングに収容するために、このハウジングに強制的に合わせられる。このハウジングは、弾性片２２を収容する溝２０Ａから斜めに伸長し、これによって、その外郭は弾性片の外郭の形状と一致し、そしてその底部は座部１５を構成する。単一部材としての閉鎖部材２０の構造は、弾性片２２およびヒール２１と共に、弾性片２２を、その内側表面２３によってその座部１５に適用させることを維持する事を可能にする。この構造では、ヒール２１は、弾性片２２の基部と同じ広さを有し、この基部によって、弾性片２２はヒール２１とつながる。弾性片２２をその座部に適用させることを維持することに関して、ヒール２１の厚さが弾性片２２の厚さの２倍に等しく（それぞれ２mmおよび１mmである）、ヒール２１の高さが弾性片２２の厚さの５倍、すなわち、５mmであり、そして弾性片２２が合計１０mmの高さを有するとき、良い結果が得られる。
【００３８】
分与ヘッド４のハウジング中のヒール２１の構造は、弾性片２２の少なくとも一部で屈曲応力を作り出すように設計され、この弾性片２２の一部は、それゆえ、弾性的に座部１５に作用する。
【００３９】
好ましくは、弾性片２２は、少なくともその閉鎖端の領域、ヘッド４の壁中の対応の形状のハウジングに挿入され、ヘッド４の外側表面に対して、静止して、円滑な連続表面を形成する。それゆえ、静止の閉鎖位置では、弾性片２２は、少なくともその閉鎖端において、ヘッド４の外側表面の範囲を越えない。
【００４０】
本明細書に記載の変形に関して、これらの全ては、空気進入を提供するように、または空気進入を提供しないように配置され得ることが理解される。それゆえ、空気進入がない分与アセンブリに合わせられている図１Ｄおよび図２Ａの変形のために、弾性片２２の内表面２３および２４が１つおよび同一平面にあることは充分である。弾性片２２を座部１５に適用させることを維持するための平面は分与口１３を支える。このような構造は、図１Ｂ、１Ｃ、２Ｂに示されており、これらの図は前記図１Ｄ、１Ａ、２とそれぞれ類似する。図１Ｂ、１Ｃ、２Ｂの空気進入がない変形によれば、弾性片２２は、その表面２４を介して分与口１３の全周囲で座部１５と互いに作用することが見られ得る。図２Ｂに見られるように、閉じられた中空２４Ａは、分与口１３が持った形状と一致する弾性片２２の表面２４で形成される。これは、分与口１３が接することによって弾性片に痕が付くことを防ぎ、そして優れた閉鎖密封を可能にする。このような配置は、当然、以下の変形に適用される。
【００４１】
閉鎖部材２０もまた、図７に示されるように、２つの分与口と相互作用するように成形され得る。この図では、容器２は、隔離部２Ｃによって定められた２つの室２Ａ、２Ｂを有する。室２Ａ、２Ｂは分与通路１０Ａ、１０Ｂとそれぞれ連通され、後者のそれぞれは、室２Ａ、２Ｂに含まれた製品を静止状態で、閉鎖部材２０によって閉鎖された分与口１３Ａ、１３Ｂへ導く。
【００４２】
単純化するため、他の変形を描く他の図は、図１Ｄおよび２に記載されたものと同じ役割を果たすので同一参照番号を採用している。
【００４３】
図３および４に示されるように、支持体３は分与バルブまたはポンプ１４を収容し、これは好都合である。加圧棒を構成する導管６は、押しボタンを構成する分与ヘッド４に収容される。閉鎖部材３０は、弾性片３２および固定ヒール３１を有する。
【００４４】
ヒール３１はほぼ円筒形の形状を有する。ヒール３１をヘッド４にうまくはめ込むために、ヒール３１には、縦リブ３６を外側に有する円筒形の壁３３が設けられ、これによって、ヒール３１の外側表面積を増加させることが可能になる。縦方向切り口３７は、ヒール３１が分与ヘッド４が有する分与チャネル１２を重なることを可能にする。このヘッド４は、その上端において、外に開口し、閉鎖部材３０を収容するハウジングを有し、このハウジングは、閉鎖部材３０の形状と互いに補足し合う形状を有する。図示された実施態様によれば、ヒール３１の軸および弾性片３２が延長する平面は９０°と異なる１１０°の角度を形成する。断面ではほぼ水滴に見える形状を有する弾性片３２は、ヒール３１の全周辺に延出し、結果として、座部１５と直接に作用する前部３４が形成されるだけでなく、ヒール３１に関して、分与ヘッド４を押圧する後部３５も形成される。この後部３５は、座部１５に対する弾性片３２の応力作用でヒール３１の作用を強化する。ヒールの平均長さが１０mmであり、円筒形表面３３が８mm直径を有し、弾性片２２の長さが２５mmであり、その最大広さが１６mmであり、そしてヒール３１の軸と弾性片３２が延長する平面とが２０°の角度を形成すると、良い結果が得られる。
【００４５】
図５の閉鎖部材４０は、分与口１３と並んだ座部１５に作用する弾性片４２の端部に対応する後部に位置する、ほぼ平行六面体の形状を有するヒール４１を有する。このヒール４１は、分与ヘッド４の壁に係合するための長く薄い突起４３を有する。ヒール４１の作用は、ハウジング４４を固定することにより、さらに強化され、閉鎖部材４０は、分与ヘッド４に収容された対応の止め部において、このハウジング４４を有する。口１３を閉鎖する弾性片４２の末端は、ヒール４１方向と７０°状態の角度を形成する方向に延長する。変形として、図１３に示されるように、閉鎖部材４０の弾性片４２の後部４５は、ヒール４１を越えて延長する。
【００４６】
この後部４５によって分与ヘッド４の壁に支えるおよびはめ込むことにより、ヒール４１が演じた応力部材の役割が、強化される。
【００４７】
図６、８、９および１０の変形によれば、閉鎖部材５０は、２つの部５１Ａ、５１Ｂを持った、ほぼ平行六面体の形状のヒールを有し、２つの部のそれぞれは、図５の閉鎖部材５０のような長く薄い係止突起５３Ａ、５３Ｂを有する。しかし、弾性片５２の後方部に横に配置されることの代わりに、２つの部５１Ａ、５１Ｂを有するヒールは、弾性片５２の縦軸の各側に平行に延長する。図６によれば、ヒール５１Ａ、５１Ｂは、弾性片５２の鴨嘴形の後領域に接近し、それに対して、図８では、ヒール５１Ａ、５１Ｂは四辺形の弾性片５２の中央領域に接近する。図１０によれば、強化横断部５１Ｃは、弾性片５２に接近する上部で弾性片２つの部５１Ａ、５１Ｂを連結する。それゆえ、分与ヘッドへの閉鎖部材５０のはめ込みは強化され、弾性片５２に対して応力部材の役割も強化される。この変形について、図９は、この図に描かれた上向けの矢印に示される方向に分与チャネル１２を通じて製品を分与するとき、分与口１３と対応する、中央部分が持ち上げられた弾性片５２を示す。これらの変形のヒール５１Ａ、５１Ｂは、一般には、弾性片５２に垂直して延長する。弾性片５２のより良い応力は、閉鎖部材５０が静止のとき、５１Ａ、５１Ｂと弾性片５２とが形成した内角が９０°よりやや小さい場合に得られる。この角度は、閉鎖部材５０が分与ヘッドに取り付けられるときに９０°である。
【００４８】
図１１および１２によれば、支持体３に収容された分与バルブまたはポンプ１４を操作するための押しボタンの形状を有する分与ヘッド４は、閉鎖部材６０を有し、そのヒール６１は環状の円筒形を有し、そして分与ヘッド４が持った対応の形状のハウジングにはめ込まれる。図１１によれば、閉鎖部材６０の弾性片６２は、互いに角度を形成する３つの部６３、６４、６５を有し、その中の１つ、部６４は座部１５および分与口１３と互いに作用する。外側から見ると、部６２、６３は、１１５°の凸角を形成し、これに対して、部６３、６５は１３５°の凹角を形成する。部６３は、その内側でヒール６１を支え、部６４および６５は、部６３のいずれの端に配置される。図３および４の変形に示されるように、後部６５は、弾性片６２に対して、より正確には、部６４に対して、ヒール６１の応力部材の作用を強化する。図１２によれば、弾性片６２は、ほぼ平面形状を有し、環状の円筒形のヒール６１のみが応力作用を提供する。ヒール６１の軸は、そのヒール６２が連結される弾性片６２の部分と９０°の角度を形成し、そして弾性片６２の端部と４５°の角度を形成する。
【００４９】
図１４の変形によれば、閉鎖部材８０は、２つの固定ヒールを有する。長く薄い係止突起８３が設計された、平行六面体の形状を有するヒール８１、および円形ピンの形状のヒール８１Ａである。両方は共に分与ヘッド４中の対応するハウジングに収容される。さらに、この変形によれば、弾性片８２（その位置が図１４に示されている）は、ヒール８１−８１Ａが延長する平面に垂直する平面と、閉鎖部材８０が適所のときにこれらの同じ平面が形成した角度より大きい角度、例えば、約２０°の角度を形成する平面に静止の状態で延長する。 この弾性片 ８２が分与ヘッド４に取り付けられると、この角度は、続いて、例えば、半分までに減少され、そして取り付けが終わったとき、ヒール８１の係止突起８３でヘッド４に部材８０を押圧することによって維持される。この配置は、ヒール８１−８１Ａで弾性片８０を押圧する「自然な」作用が、座部１５が弾性片８２を押さえる作用が加わる利点を有し、これは、分与口１３をより効果的に閉鎖することをもたらす。この効果は、図１５に示されるように、弾性片８２に後部８５を設けることにより、取り付けが終わったとき、その後部がヘッド４の外壁を押さえるので、さらに高められ得る。
【００５０】
図１６および１７では、比較的に弾性な材料から形成された容器２を有する分与アセンブリが見られる。環状断面を有するネック５および導管６は、任意の断面を有し得る容器２と共に単一の部品として作製され、この導管６は容器２用の管路を構成する。分与ヘッド４には、図１について記載されるように、縦方向の切り口１１が設けられた中空内部１０のほかに、外周に環状断面を有する円筒形のスカート４Ａがあり、このスカートはその下部で、ガイドの形でネック５と互いに作用する。ネック５には、半径方向の止め部１７が配置される移動切り口１８が設けられ、該半径方向の止め部１７が外側スカート４Ａの下部の内側で支えられる。それゆえ、分与ヘッド４は容器２に対して、移動切り口１８の中で止め部１７の移動範囲内で回転される。該切り口１８中の止め部１７の切替位置は、この止め部１７が必ず通過する、ヘッド４を構成するプラスチックの弾性を利用する位置決めピン１９Ｄ、１９Ｇよって固定される。
【００５１】
ヘッド４はまた、外側スカート４Ａおよび中空内部１０の間に半径方向に配置された保持スカート４Ｂおよび内側スカート４Ｃを有する。保持スカート４Ｂの下端は、容器２と一体になっている環状止めカラー１６に止められ、そしてネック５および導管６の間に同軸に配置される。カラー１６の直径は、ネック５および導管６の直径の中間値にある。中空内部１０および内側スカート４Ｃは、それ自身が構成した円形空間には導管６が密封状態で配置されるような直径を有する。分与チャネル１２は、その片側で内部１０中の切り口１１と一致してこの円形空間とつながり、そして他の側で外側とつながる。容器２に対して前記ヘッド４切替位置の１つで、切り口９および１１および分与チャネル１２の内側末端は、互いに一致している。図１６に描かれたこの位置では、容器２を手で押すことによって、容器２に収容された製品は、分与チャネル１２に向かって進む。ヘッド４の他の切替位置で、これは分与チャネル１２および切り口１１間の導管６の壁の固定部分であるので、どのような分与も防止される。分与口を末端とするチャネル１２の外側端に一致して、閉鎖部材９０の弾性片９２が設置され、その平行六面体の形状のヒール９１がヘッド４中の対応のハウジングにはめ込まれる。閉鎖部材９０は、図１Ｄおよび２について記載の閉鎖部材２０と同じ種類である。しかしながら、閉鎖部材９０には、ヒール９１と１３０°の鈍角を形成する平面に延長する弾性片９２がある。ここで説明した分与アセンブリは、構造が簡単である利点がある。実際には、この分与アセンブリは独立した３つの部、すなわち、容器２、分与ヘッド４および閉鎖部材９０を有する。
【００５２】
これまで記載された変形に見られるように、分与アセンブリの閉鎖、静止の位置では、容器に収容された製品は、一方では、外側に向かって開口する分与チャネル末端部に設置された閉鎖システムにより、他方では、分与チャネル１２と容器２との間の連結の閉鎖によって、外側から隔離される。この連結は、容器２に対して、回転的な方式（例えば、図１Ｄおよび１６）または並進的な方式（例えば、図３、１１および１２）のいずれで移動可能な分与ヘッド４を取り付けることにより、閉鎖される。
【００５３】
もちろん、容器２に分与ヘッド４を取り付けるには、固定または可動のいずれの方式でも、同じ結果が得られる。
【００５４】
図１８、１９および２０によれば、本発明の分与アセンブリは、容器２に支えられたリング７Ａによって該容器２にスナップで固定された分与ヘッド４を有し、容器２に対して分与ヘッド４の回転を防止するためには、図示されていない手段を設けることができる。
【００５５】
分与ヘッド４は２つの部分を含む。分与ヘッド４を容器２に備え付ける支持体１０３、および支持体１０３の上部にスナップで固定された可動部材１０４である。支持体１０３では、分与ヘッド４は、可動部材１０４の各側に備え付ける縦方向のスナップ固定足部１０５が支持体１０３のいずれの側に設けられた平行軌道と互いに作用することにより、保持される。それゆえ、可動部材１０４は、支持体１０３に対してスライドするように取り付けられる。支持体１０３が容器２に取り付けられるとき、この支持体の環状リプ１０８は容器２のネック５を延長する導管６の縁と互いに作用して、この取り付けを密封する。支持体１０３の上部壁は導管６の通路８と一直線にある通路１２Ｃによって貫通されている。分与ヘッド４の上部を構成する可動部材１０４は、横部分１２Ｂおよび縦部分１２Ａを有するＬ形の分与チャネル１２によって貫通されている。外側に抜き出す横部分１２Ｂの先端は分与口１３を有し、縦部分１２Ａは、半円形止め部１０６と一直線かつその中央で可動部材１０４の下部に抜け出している。可動部材１０４下部の中央では、止め部１０６に類似する他の止め部１０９がある。支持体１０３の上部に設けられたキャビティ１０７Ａ、１０７Ｂ、１０７Ｃはまた、半円形であり、止め部１０６および１０９の形状と補足し合う形状である。キャビティ１０７Ｂは、通路１２Ｃを取り囲む中央にあり、そしてキャビティ１０７Ａ、１０７Ｃに等距離に位置しており、この距離は止め部１０６、１０９を隔てる距離と等しい。止め部１０６、１０９は、支持体１０３および可動部材１０４を構成するプラスチックの弾性を利用し、決め位置ピンの役割を果たす。これらは、可動部材１０４が支持体１０３に対して並進的に移動するとき、支持体１０３に対して可動部材に２つの安定位置を与える。図１８に描かれた１位置に関して、止め部１０６および１０９はキャビティ１０７Ｃおよび１０７Ｂとそれぞれ作用する。閉鎖位置と呼ばれるこの位置では、分与チャネル１２の縦部分１２Ａが支持体１０３の固定部分と一致する。図１９に描かれた可動部材１０４の他の位置に関して、止め栓１０６および１０９はキャビティ１０７Ｂおよび１０７Ａとそれぞれ作用する。開放位置と呼ばれるこの位置では、分与チャネル１２の縦部分１２Ａが通路１２Ｃと一直線にある。
【００５６】
分与口１３近くにあるその先端に、可動部材１０４は、弾性片１０２とヒール１０１とからなる閉鎖部材１００を有している。この変形では、ヒール１０１は環形を有し、溝１０４Ａに位置して可動部材１０４の端を取り囲んでいる。
【００５７】
図２１および２２に示された分与ヘッド４の変形は、ちょうど記載の通りの種類である。分与ヘッド４は２つの部分を含む：分与ヘッド４を容器に備え付ける支持体１１３、および可動部材１１４。この変形では、可動部材１１４は、その側部に保有されている２つのハーフピンによって、支持体１１３上で回転するように備え付けられている。分与チャネル１２の部分１２Ａは、可動部材１１４の上部に関して斜めの角を形成し、その下部は、支持体１１３に対する可動部材１１４の位置により決まる通路１２Ｃと一直線上になるか、または一直線上にならないようになっている。図２１に示される位置（閉鎖位置と呼ばれる）では、分与チャネル１２の部分１２Ａは、支持体１１３の一枚壁と一直線上にある。可動部材１１４の後部１１６で動かすことにより得られる、図２２に示される他方の位置（「開放」位置と呼ばれる）では、上記部分１２Ａは、通路１２Ｃと一直線上にある。可動部材１１４は、図１６に関して記載された種類の閉鎖部材１１０を保有している。この閉鎖部材１１０は、弾性片１１２およびヒール１１１を有する。閉鎖位置では、弾性片１１２近くにある可動部材１１４の先端が支持体１１３の外部ケーシング(outer casing)により完全に覆われて、保護されていることが注目される。
【００５８】
本発明による分与アッセンブリのすべての変形では、閉鎖部材が分与ヘッドに付着される。この操作はもちろん手動で行われ得るが、自動的にもまた行われ得る。この操作は、例えば分与ヘッドの成形の操作中に、例えば同時に２つの材料を用いて成形すること、または共成形すること(comoulding)、または連続的にさらに成形を重ねることによる。ここで用いる材料は、弾性片をそれが相互作用するシートに関して自由に操作させる物理化学的親和性を有しない材料が選択される。
【００５９】
図２３から２５は、１つの部分として成形された分与ヘッド４ｄを示す。これは、２つの材料から形成され、好都合には、自動的にこわれ得る足部を有し、初めて使用するまで混入が起こらないようにされている。このヘッド４ｄは、変形として、１つの材料から形成され得る。
【００６０】
図２３から２５の分与ヘッドの種々の要素は、図１Ｄに関して既に記載の要素と類似であるか、類似の役割をなす要素であれば、同じ番号表示で後ろに文字ｄをつけて表す。それらについてここではもう一度記載せず、さもなければ簡単にしか記載しない。
【００６１】
キャップ４ｄは、少なくとも１つのフィルム状ヒンジＦを介して分与ヘッド４ｄの側壁に連結されているカバー２００を有する１つの部分を形成する。
【００６２】
図面に示される特定の実施態様では、ヘッド４ｄは、楕円形の横断面を有する円筒形スカートに接している。ヘッド４ｄは、容器２ｄのネック部の縁に、スナップ止めによって固定されるのに適切な内部カラー７ｄを有する構成部分である。
【００６３】
導管６ｄは、カラー７ｄに対して同軸関係にあり、このカラー７ｄの内部に半径方向に位置し、この導管６ｄはその内部に製品に対する通路８ｄを有している。導管の基部は、容器２ｄのネック部に備わっている相補的な遮断部材２０２の上に存在するのに適した１つまたはそれ以上の切り口２０１を有し、これにより導管６ｄが容器２ｄに対して回転するのを防いでいる。
【００６４】
導管６ｄは、一定の長さにある自動的にこわれ得る半径方向の足部２０３を介して、カラー７ｄの内壁に連結されている。
【００６５】
カバー２００は、ヘッド４ｄの上部に位置し、ある形状を有しており、これは示された１つの例においては、ヘッド４ｄの横断面の形状に相当する楕円形である。
【００６６】
円筒形スカート２００ａは、カバー２００の下に突出しており、これはヘッド４ｄ中の適合ハウジング(matching housing)と相互作用し、カバーを図２３の折り畳んだ位置に保つために備わっている。
【００６７】
カバー２００は、その下部の表面の中央部が突出しており、その壁を貫通している軸方向チャネル１１ｄと共に備えられた中空端部１０ｄを有している。図２３に示されるようにカバー２００がヘッド４ｄ上で折り畳まれたとき、該端部１０ｄは、密封様式で導管６ｄの上端の上に位置する。通路８ｄは、その通路８ｄの右角度にある軸方向チャネル９ｄを通して外側に現れる。チャネル９ｄは、ヘッド４ｄの回転移動により、チャネル１１ｄに面するか、または図２３に示されるように正反対に位置するように形成され得る。
【００６８】
このヘッド４ｄは、導管６ｄと分与口１３ｄとの間に、楕円の横断面の短軸の一方の半径に沿って放射状に延びている分与チャネル１２ｄを有している。
【００６９】
カバー２００は、分与口１３ｄと一直線上の位置にある弾性片２２ｄを有し、これにより分与口を閉じる。この弾性片２２ｄは、カバー２００の短軸の一端に備わっている切り口２０４の中に位置する。タブ２２ｄは、その後部で、ヒンジ２０５を介して、ヒール２１ｄを構成するカバーの一部に連結されている。このヒールは、好ましくは、導管６ｄと壁７ｄとの間に存在するハウジングに受け入れられる下方への突出部を有する。必要であれば、ヒール２１ｄは、この部分２１ｄの反対側に位置した端部１０ｄの部分を取り囲み得る。
【００７０】
そのカバー２００と一緒になって１つの部分として形成されたキャップ４ｄは、図２４に示されるカバーを開いた位置に、１つの材料から成形され得る。好適には、ヘッド４ｄは、例えば、ヘッド４ｄ、およびタブ２２ｄの反対側に位置するカバー２００のその部分に対してポリプロピレンで共成形される。一方、ヒール２１ｄのタブ２２ｄと端部１０ｄが組み合わさったものは、カバー２００のポリプロピレン部上にさらに射出されたエラストマー材から形成される。
【００７１】
図２３から２５の分与ヘッド４ｄの操作は、上記記載から明らかである。
【００７２】
保存されるときは、カバー２００は、図２３に示されるようにヘッド４ｄで折り畳まれ、軸方向チャネル１１ｄ、９ｄが正反対に位置するような、導管６ｄに関し角をなす位置にある。このため製品の出口は塞がれる。非侵入性足部２０３は、導管６ｄをヘッド４ｄのスカートに連結させる。
【００７３】
それを用いるとき、使用者は、ヘッド４ｄを容器の軸の回りに１８０°まで回転しなければならない。これにより、自動的にこわれ得る足部２０３をこわして、軸方向チャネル９ｄおよび１１ｄを合わせて互いに延長させることができる。この移動は図２５に図示されており、この図では、カバー２００が実質的に中間位置にあるように示されている。この移動では、導管６ｄは要素２０１、２０２の相互作用により停止されるので、ボトル２ｄに関して全く動いていないことが注目されるべきである。
【００７４】
カバー２００の１８０°回転移動が終わったとき、この装置はいつでも使用可能であり、タブ２２ｄをわずかに持ち上げることにより、容器２ｄの壁に加えられた圧力が、チャネル９ｄ、１１ｄ、通路１２ｄ、および分与口１３ｄを通して製品を追い出す。容器２ｄの壁にかかる圧力がなくなったとき、タブ２２ｄはヒール２１ｄにより加えられた応力のために、それが閉じられた位置に戻る。
【００７５】
図２６は、図１Ｄの分与ヘッドの変形４ｅの実施態様を示す。この変形では、閉鎖部材２０ｅは、ヘッド４ｅと一緒になって１つの部分として成形されている。ヒール２１ｅを有するヘッド４ｅに近い閉鎖部材の部分２０ｅ１は、ヘッド４ｅと同じ材料から形成され得る（例えば、ポリプロピレン）。それはヘッド４ｅの壁にフィルム状ヒンジＦを介して連結されている。成形は、図２６に示したように完全に開いた位置で行われる。従って、注型から出した後、ヒンジＦから最も離れている部材２０ｅのその部分は、弾性片２２ｅを構成する。好適には、この片２２ｅは、後部２０ｅ１上に射出される、エラストマー材、またはより一般的には弾性材から形成される。弾性片２２ｅは、エラストマー以外の材料からも形成され得、これには例えば、熱可塑性材料、またはPROFAXの名称で知られる市販品がある。
【００７６】
図２７および２８は、他の実施態様の変形を示す。分与ヘッド４ｆはくちばし状の形をしており、長方形に形作られた閉鎖部材２０ｆがその上に備えつけられる、垂直の向きの面を有する。この閉鎖部材は、開いた位置で、自身がフィルム状ヒンジＦを介して連結されるヘッド４ｆと一緒になった１つの部分として成形される。注型を取り外したとき、ヒール２１ｆは、図２８に示されるように、それを入れるためのヘッド４ｆに備えられているハウジングｇの外側に存在している。閉鎖部材２０ｆをヘッド４ｆの面に対して下に向けることにより、図２７の配置が得られ、これによりヘッド４ｆを適切に操作できる。製品の排出口１３ｆ（図２８を参照）は、ヘッド４ｆの上端の付近で、幅の中央部分にある。この排出口１３ｆは、図２７に示されるように、閉鎖部材２０ｆが下に向けられたときに覆われる。弾性片２２ｆは、さらに射出された弾性材から形成されるのに対して、部材２０ｆの後部２１ｆは、自身がヒンジＦを介して連結されるヘッド４ｆと同じ材料で形成され得る。
【００７７】
図２９および３０は、一実施態様の変形を示し、これは分与ヘッド４ｇ、閉鎖部材２２ｇが図２７および２８のそれらに類似している。しかし、ヘッド４ｇの上壁は実質的に水平に位置しており、閉鎖部材２２ｇは作動位置の実質的に水平な面に存在する。一方、図２７の場合では、閉鎖部材２０ｆは作動位置の実質的に垂直な面に存在する。
【図面の簡単な説明】
【図１】本発明による分与アセンブリを示し、図１Ｂと図１Ｄはその一部の断面図、図１Ａと図１Ｃは、それぞれ図１Ｄ、図１Ｂの矢印に沿った一部の側面図であって、閉鎖部材が取り付けられていない。
【図２】図１の分与アセンブリの分与ヘッドを備えている閉鎖部材を示し、図２Ａはその断面図、図２Ｂはその透視図である。
【図３】  本発明による分与アセンブリの変形の一部の断面図である。
【図４】図３の分与アセンブリの分与ヘッドを備えている閉鎖部材の透視図である。
【図５】本発明の分与ヘッドを備える閉鎖部材の変形の一部の断面図である。
【図６】分与ヘッドを備えることが意図される閉鎖部材の他の変形の透視図である。
【図７】上方から見た本発明による分与ヘッドの変形の一部の図である。
【図８】図６の閉鎖部材の変形の透視図である。
【図９】製品が分与されるときの図６、図８および図１０の閉鎖部材の変形の一部の断面図である。
【図１０】図６の閉鎖部材の他の変形の透視図である。
【図１１】    本発明による分与アセンブリの変形の一部の断面図である。
【図１２】図１１に対する変形の断面図である。
【図１３】図５に対する変形の断面図である。
【図１４】本発明による分与ヘッドを備える閉鎖部材の他の変形の一部の断面図である。
【図１５】図１４に対する変形の断面図である。
【図１６】本発明による閉鎖部材の変形の一部の断面図である。
【図１７】図１６の分与アセンブリの容器自身の部分透視図である。
【図１８】閉鎖位置での分与ヘッドの変形の部分断面図である。
【図１９】図１８に類似し、分与ヘッドが開放の位置にある部分断面図である。
【図２０】  図１８および図１９による分与ヘッドの分解透視図である。
【図２１】閉鎖位置での分与ヘッドの他の変形の一部の断面図である。
【図２２】図２１に類似し、分与ヘッドが開放の位置にある部分断面図である。
【図２３】２種の材料から単一部として成形された分与ヘッドの変形およびその外側の部分の縦軸方向断面を示す図である。
【図２４】図２３に関して、カバーが開けた状態の分与ヘッドの上方から見た図である。
【図２５】カバーが閉めた状態で、図２３のヘッドが閉鎖位置および開放状態の間に回転しているとき、カバーが閉めた状態でその上方から見た図である。
【図２６】単一部として成形された図１Ｄのヘッドの変形の縦軸断面の概略図である。
【図２７】単一部として成形されたヘッドの他の実施態様の概略透視図である。
【図２８】単一部として成形されたヘッドの他の実施態様の概略透視図である。
【図２９】分与ヘッドの他の実施態様を示す透視図である。
【図３０】分与ヘッドの他の実施態様を示す透視図である。
【符号の説明】
２  容器
４  分与ヘッド
１２  分与チャネル
１５  座部
２２、３２、４２、５２、６２、８２、９２、１０２、１１２、２２ｄ、２２ｅ、２２ｆ、２２ｇ  弾性片
２０、３０、４０、５０、６０、７０、８０、９０、１００、１１０  閉鎖部材
２１、３１、４１、５１Ａ、５１Ｂ、６１、７１Ａ−７１Ｂ、８１−８１Ａ、９１、１０１、１１１  ヒール
【図１】
0003725190.tif 000002
【図２】
0003725190.tif 000003
【図３】
0003725190.tif 000004
【図４】
0003725190.tif 000005
【図５】
0003725190.tif 000006
【図６】
0003725190.tif 000007
【図７】
0003725190.tif 000008
【図８】
0003725190.tif 000009
【図９】
0003725190.tif 000010
【図１０】
0003725190.tif 000011
【図１１】
0003725190.tif 000012
【図１２】
0003725190.tif 000013
【図１３】
0003725190.tif 000014
【図１４】
0003725190.tif 000015
【図１５】
0003725190.tif 000016
【図１６】
0003725190.tif 000017
【図１７】
0003725190.tif 000018
【図１８】
0003725190.tif 000019
【図１９】
0003725190.tif 000020
【図２０】
0003725190.tif 000021
【図２１】
0003725190.tif 000022
【図２２】
0003725190.tif 000023
【図２３】
0003725190.tif 000024
【図２４】
0003725190.tif 000025
【図２５】
0003725190.tif 000026
【図２６】
0003725190.tif 000027
【図２７】
0003725190.tif 000028
【図２８】
0003725190.tif 000029
【図２９】
0003725190.tif 000030
【図３０】
0003725190.tif 000031